(57)【要約】      （修正有）【課題】日本各地で開催される様々なレース（競馬・競輪・競艇・オートレースその他）の模様を、リアルタイムに配信することにより、レースファンや一般大衆は、開催地や場外馬券場に出向かないで居ながらにして、レース模様を確認しながら、即座に投票にも参加できるシステムを提供する。【解決手段】レース場のレース中継カメラ６からの映像を映像サーバ３に取り込み、インターネット（ＡＤＳＬ＆光通信）回線５を用い、会員の携帯電話端末１やパソコン２に配信する。【選択図】図１
2005122669.tif 000002
【特許請求の範囲】
【請求項１】
登録契約者がパソコンや携帯端末を用いて、リアルタイムにレースライブの受信を可能にするシステム。
【請求項２】
レース（競馬・競輪・競艇・オートレース・その他のレース）ライブの中継及びレース結果等の映像・動画とｍａｉｌ  ｏｒ音声を、インターネット（ＡＤＳＬ＆光通信）回線を利用してＰＣに配信する。同様にレース（競馬・競輪・競艇・オートレース・その他のレース）ライブの中継及びレース結果等の映像・動画とｍａｉｌ  ｏｒ音声を、インターネット（ＡＤＳＬ＆光通信）回線を利用し、各携帯電話会社の中継基地局を経由して携帯電話端末に配信する。登録契約者は日本全国のレース場や場外馬券場に態々出かけることなくいつでもどこでもリアルタイムに、パソコンや携帯端末電話を用いて観戦し、レースの状況を確認できるようにしたシステム。
【請求項３】
登録契約者は、パソコンや携帯電話端末を用いて、リアルタイムの情報を確認しながら、即座に電話投票に参加することが出来るシステム。
【発明の詳細な説明】
【技術分野】
【発明の属する分野】
【０００１】この発明は、レース（競馬、競輪、競艇、オートその他）の模様を、インターネット（ＡＤＳＬ＆光通信）回線を用いて、リアルタイムにライブ中継することによって、接続されたサーバによりパソコン或いは携帯電話端末機に、サーバに蓄積された中継用カメラｏｒモニター画像のライブ動画やライブ映像、更にＭＡＩＬｏｒ音声等の各種データを配信し、更にリアルタイムに情報状況を確認しながら即座に投票に参加できるシステムに関する。
【背景技術】
【０００２】従来、レースファンは、このようなシステムが存在しなかったため、限られた曜日限られたレースしか、しかも限られたＴＶ放映でしか見ることが出来なかった。したがって、せっかくこれ程大衆に深く広く浸透し支持され用いられている携帯端末電話等を活用して、リアルタイムに楽しむ事など出来なかった。だからこそ、このシステムが構築され活用されるべきである、と考えた。
【発明の開示】
【発明が解決しようとする課題】
【０００３】この発明は、多くのレースファン或いはもっと手軽にレースに参加したいと望んでいる潜在的なファンや一般大衆にとって、簡単にリアルタイムにレースライブ動画・画像・映像とｍａｉｌ  ｏｒ音声を楽しみながら、手軽に投票にも参加することが出来るというそのようなデータを配信するシステムを提供せんとするものである。
【課題を解決するための手段】
【０００４】上記の課題を解決するために、この発明は、改めて何らかの特別なシステムの構築等の必要性は無いと考える。ただし、ライブ映像と同時に配信予定の音声だが、現在のところそのような配信設備は既存していないと思う。しかしながら、今日の技術革新のスピードからして、極く近い将来映像と音声の同時配信は可能になると思う。この発明は、そうした技術や機械や設備を発明することが目的ではなく、現状既に存在するシステムを生かし活用することで、いち早くこれらの情報を配信することを目的としているのである。但し課金の方法については、一考を要する。【０００５】ファン＝ユーザーは、このコンテンツを採用した事業体（例えば考えられる事業体としては中央競馬会や既存の電話会社等）、仮にその内中央競馬会を例にして言えば、その中央競馬会に会員登録し、年間登録料を支払いパスワードを発行してもらう。即ち会員登録料制である。そして既存の電話会社にパスワードを確認してもらい、会員登録者は従来の従量制である使用した電話、パケット料金の支払い制または月ぎめ定額使用料を支払うことにより、いつでもどこでも自由にこれらの配信を受信することが出来、かつ、投票に参加できる。電話投票に関する支払いは、既存の電話投票のシステムに順ずる。
【発明を実施するための最良の形態】
【０００６】この発明の好ましい実施の形態を、以下に詳細に説明する。本願発明の携帯電話端末及びパソコン用リアルタイムレースライブ動画映像・ｍａｉｌ  ｏｒ音声配信及びリアルタイム投票参加システムは、会員登録者（以下単にユーザという）を対象としたシステ厶であリ、携帯電話端末機（以下単に端末と言う）やパソコンからインターネット（ＡＤＳＬ／光通信）等の回線を介して、本願配信システ厶が稼動するサーバコンピュータ（以下単にサーバという）へ接続し、サーバからリアルタイムに配信される画像・動画・音声当の各種情報データを連続して受信するシステムであり、それらの情報を確認しながら、即座に投票に参加することが出来るシステムである。【０００７】システム利用のために、ユーザは会員登録を行う。登録作業は別途に文書を作成したりせずに、ユーザ所有の端末からサーバへ接続しオンライン上で登録を行う。ユーザの端末の番号・メールアドレス等の個人情報は本願発明のシステム利用事業者のサーバ上のユーザデータベースに登録される。【０００８】ユーザが本願システムを利用してレースに投票するときは、通常電話投票で行われているのと同じように、金融機関に口座を開設し、その口座から購入代金の引き落としレース結果の払い戻しが行われる。
【実施例】
【０００９】配信は▲１▼直接方式と、▲２▼間接方式の二通りを考えられる。図１は直接方式の概略図を示すものである。（１）はパソコン及び携帯電話端末、（２）は本願システムを稼動するサーバ、（３）はレース中継用カメラを示す。レース中継用カメラで撮影された映像或いはモニター映像はＰＣ＝カメラサーバ（入力）にインターネット回線を経由してくる。その映像（画像）は映像サーバ（出力）に保存・記録され、インターネット回線・各携帯電話会社の中継基地局を経由して携帯端末電話・ＰＣに配信する。【００１０】新規会員登録を行うには、インターネットの会員登録と同様である。フォーマットを決め規約の遵守、名前、住所、年齢、電話番号、メールアドレス、パスワードその他を記入後送信する。これにより登録完了。次いで年間登録料振込み確認後会員番号パスワードを発行。１年間有効とする。但し電話投票は口座開設のために身分の確認が必要となるので書類による登録契約となる。受信のための会員登録と投票券購入のための会員登録は形態が変わる。投票券購入のための会員登録は基本的には現在実施されている電話投票の際の口座開設方法に準ずる。【００１１】本願システムではユーザには登録された順に会員番号を一連で付与する。会員番号はシステム内部で使用され、ユーザに対するシステム利用上の各種処理等において利用されるものであり、ユーザ自信が会員番号を直接使用したり、確認することはない。ユーザがシステムに対して問合わせ等を行うときには、自分の会員番号やメールアドレスを自分を識別するためのＩＤとして用いる。又、メールアドレスの登録を行うが、これはシステムからの各種情報メールの送信先として利用される。
【発明の効果】
【００１２】本願発明のシステムによれば、先ず第一に１０００万〜２０００万人ともいわれるギャンブル愛好者を対象とし、更に潜在的な競馬・競輪・競艇・オートレース等のすその広いファン大衆層を対称に、今だかってない規模のビジネスになる。この発明によれば、それらファンは、一番興味のあるレースを常にリアルタイムに動画で手元の端末携帯電話やパソコンで瞬時に観戦したり確認したり更には投票参加したり、いまだかって経験したことのない感動や興奮・精神の高揚、または落胆・悔しさ・更なる挑戦等々臨場感あふれる醍醐味を味わえることとなる。一方レース主催者にとっては一気に固定会員の確保増加につながり、思いもよらぬ発展をもたらす。又電話会社にとっては、レースごとに利用されるパケット料金は莫大な金額になる。そして全国にこのシステムは波及していくことになる。
【００１３】考えられる或いは期待される効果の内容を、以下に箇条書きにまとめてみる。
▲１▼利用者、投票券購入者にとって利用価値が高く、便利である。
▲２▼レース主催者にとって固定会員の確保増加につながる。
▲３▼売り上げの大幅な増大が見込める。
▲４▼遠隔地からの利用、売り上げが増加する
▲５▼前項に準じて、ふるさとレースにも容易に誰でもが参加できる。このことはふるさと自治体や地域の活性化にダイレクトにつながる。
▲６▼宣伝その他のシステム導入による波及効果が期待できる。
▲７▼携帯電話会社に莫大なパケット料金がはいる。
▲８▼毎週定期的に開催されるレースはもちろんのこと、各種の地方レースや様々に開催されるレースなどにより、携帯電話会社には、利用者・投票券購入者が積極的に活用し、その結果固定利用者の確保拡大はもちろんのこと、莫大なパケット料金が保証される。
▲９▼一社の携帯電話会社に独占を許可した場合のことを想定してみると、１０００万〜２０００万人といわれるギャンブル愛好者はすべて同一の携帯電話会社に契約を変更する事態が起こることが予想される。その結果、莫大なパケット料金にかてて加えて、莫大な電話料金も独占になる。
▲１０▼配信される情報は、登録会員が見るわけだが、当然のことながら個人情報はある種把握されていることになる。するとこの情報に宣伝媒体としての膨大な意味合いを帯びてくることになる。即ち１０００万人〜２０００万人の読者を持つ新聞と同じ意味を持つことになる。仮にバナー広告を入れたとしたら、もうひとつ大きないわゆるビックビジネスが現出することになる。
▲１１▼このように人間の社会行動に変革を起こす可能性がある本願発明ビジネスモデル「電話投票＆レースライブ映像中継、レース結果携帯配信システム」は、主催者・社会の情報伝達を担う携帯電話会社・自治体・新種の宣伝媒体を求めている企業郡・そして何より利用者のそれぞれにとって、利便性・合理性・速報性・正確性更に社会性・環境保護性・経済性にすぐれた、まったく画期的な内容を全て備えていると確信する。
【図面の簡単な説明】
【００１４】
【図１】レース結果携帯電話ＰＣ端末配信システム（直結方式）
【図２】レース結果携帯電話ＰＣ端末配信システム（間接方式）
【符号の説明】
【００１５】（１）携帯端末電話
（２）端末側パソコン
（３）サーバ
（４−ａ）カメラサーバ機能付きＰＣ
（４−ｂ）画像取り込み機能付きＰＣ
（５）公衆回線
（６）中継カメラ
（７）キャプチャー
（８）モニター
【図１】
2005122669.tif 000003
【図２】
2005122669.tif 000004